(57)【要約】【課題】  本発明は、ＥＮＵＭと連動して通信相手の宛先情報を登録し、登録した通信相手の宛先情報を自動更新するアドレス帳機能を有する利便性の高い情報通信装置および方法を提供する。【解決手段】  アドレス帳に登録された通信相手で、ＤＮＳサーバに登録された該通信相手の宛先情報が変更されたことを宛先変更検知手段により検知し、該変更されたＤＮＳサーバに登録された該通信相手の宛先情報に対応してアドレス帳に登録された該通信相手の宛先情報を自動更新手段により自動更新する。【選択図】  図２
2006020049.tif 000002
【特許請求の範囲】
【請求項１】
通信相手の宛先情報を登録するアドレス帳を備えた情報通信装置において、
前記通信相手の電話番号を入力する電話番号入力手段と、
電話番号をキーとして、ＤＮＳサーバに問い合わせることにより前記ＤＮＳサーバに登録された電話番号に対応した少なくとも１つのＮＡＰＴＲリソースレコードを取得するＤＮＳ問合せ手段と、
前記ＤＮＳ問い合わせ手段により取得したＮＡＰＴＲリソースレコードから、通信手段、各通信手段の優先順位、及びアドレスの宛先情報を抽出する宛先情報抽出手段と、
前記宛先情報抽出手段で抽出した前記宛先情報を該電話番号に対応した通信相手の宛先情報として前記アドレス帳に登録する宛先登録手段と、
前記アドレス帳に登録された通信相手で、前記ＤＮＳサーバに登録された該通信相手の前記宛先情報が変更されたことを検知する宛先変更検知手段と、
前記宛先変更検知手段により前記ＤＮＳサーバに登録された前記通信相手の前記宛先情報が変更されたことを検知した場合は、該変更された前記通信相手の宛先情報に対応して前記アドレス帳に登録された該通信相手の宛先情報を自動更新する自動更新手段と
を具備することを特徴とする情報通信装置。
【請求項２】
前記宛先登録手段は、
前記通信相手の宛先情報が前記ＤＮＳ問合せ手段により取得した該通信相手の前記ＮＡＰＴＲリソースレコードに基づいて前記アドレス帳に登録されたことが識別できる識別情報を付加する登録識別情報付加手段
を更に具備する
ことを特徴とする請求項１記載の情報通信装置。
【請求項３】
前記宛先変更検知手段は、
前記アドレス帳に登録された前記通信相手の電話番号に対応した前記宛先情報と、前記ＤＮＳ問合せ手段により取得したＮＡＰＴＲリソースレコードから前記宛先情報抽出手段で抽出した該通信相手の前記宛先情報とを照合することにより該通信相手の前記ＤＮＳサーバに登録された前記ＮＡＰＴＲリソースレコードが変更されたこと検知する
ことを特徴とする請求項１記載の情報通信装置。
【請求項４】
前記自動更新手段は、
前記アドレス帳に登録された前記通信相手の宛先情報に基づき通信する際に接続失敗したか否かを判別する接続判別手段を更に具備し、
前記接続判別手段により前記通信相手との通信の接続が失敗したと判別した場合は、該通信相手の電話番号をキーとして前記ＤＮＳ問合せ手段によりＮＡＰＴＲリソースレコードを取得し、
前記ＤＮＳ問合せ手段により取得したＮＡＰＴＲリソースレコードから前記宛先情報抽出手段で該通信相手の前記宛先情報を抽出し、
該抽出した前記通信相手の前記宛先情報に基づき前記アドレス帳に登録された該通信手段の宛先情報を自動更新する
ことを特徴とする請求項１記載の情報通信装置。
【請求項５】
前記自動更新手段は、
前記アドレス帳に登録された前記通信相手の前記宛先情報が自動更新された場合は、自動更新されたことが識別できる識別情報を付加する更新識別情報付加手段
を更に具備する
ことを特徴とする請求項１乃至４のいずれかに記載の情報通信装置。
【請求項６】
前記自動更新手段は、
前記アドレス帳に登録された前記通信相手の前記宛先情報が自動更新された場合は、自動更新されたことが管理者の連絡先へ自動通知する管理者自動通知手段
を更に具備する
ことを特徴とする請求項１乃至５のいずれかに記載の情報通信装置。
【請求項７】
前記ＤＮＳサーバに前記ＮＡＰＴＲリソースレコードが登録されている前記通信相手から前記ＤＮＳサーバに登録された前記ＮＡＰＴＲリソースレコードが更新された旨の更新通知が通知されたことを検知する更新通知検知手段と、
前記更新通知検知手段により検知された前記更新通知を通知した通信相手が前記アドレス帳に登録された通信相手であるか否かを判別する通信相手判別手段と
を更に具備し、
前記通信相手判別手段により前記更新通知検知手段で検知された前記更新通知を通知した通信相手が前記アドレス帳に登録された通信相手であると判別した場合は、前記更新通知の内容に基づき前記アドレス帳に登録された前記更新通知を通知した通信相手の宛先情報を前記自動更新手段により自動更新する
ことを特徴とする請求項１乃至６のいずれかに記載の情報通信装置。
【請求項８】
前記更新通知検知手段で検知された前記更新通知の内容が前記アドレス帳に登録された前記更新通知を通知した通信相手の前記宛先情報を更新するために必要な情報が揃っているか否かを判別する更新通知情報判別手段を
更に具備し、
前記更新通知情報判別手段により前記更新通知検知手段で検知された前記更新通知の内容が前記アドレス帳に登録された前記更新通知を通知した通信相手の宛先情報を更新するために必要な情報が揃っていないと判別した場合は、前記更新通知を通知した通信相手の電話番号に基づきＤＮＳ問合せ手段により当該通信相手の前記ＮＡＰＴＲリソースレコードを取得し、前記ＤＮＳ問合せ手段により取得したＮＡＰＴＲリソースレコードから前記宛先情報抽出手段で該通信相手の前記宛先情報を抽出し、
該抽出した宛先情報に基づき前記アドレス帳に登録された該通信相手の宛先情報を前記自動更新手段により自動更新する
ことを特徴とする請求項７記載の情報通信装置。
【請求項９】
前記ＤＮＳサーバに登録したＮＡＰＴＲリソースレコードを変更または削除するＤＮＳ宛先情報更新手段と、
前記ＤＮＳ宛先情報更新手段により更新した内容を前記アドレス帳に登録された通信相手に対して通知する更新通知手段と
を更に具備する
ことを特徴とする請求項１乃至８のいずれかに記載の情報通信装置。
【請求項１０】
通信相手の宛先情報をアドレス帳に登録するための情報通信方法において、
入力された電話番号をキーとしてＤＮＳサーバに問い合わせることにより前記ＤＮＳサーバに登録された該電話番号に対応した少なくとも１つのＮＡＰＴＲリソースレコードをＤＮＳ問合せ手段により取得し、
前記ＤＮＳ問い合わせ手段により取得したＮＡＰＴＲリソースレコードから、通信手段、各通信手段の優先順位、及びアドレスの宛先情報を宛先情報抽出手段により抽出し、
該抽出した電話番号に対応した前記宛先情報を該電話番号に対応した通信相手の宛先情報として前記アドレス帳に宛先登録手段により登録された通信相手で、前記ＤＮＳサーバに登録された該通信相手の前記宛先情報が変更されたことを宛先変更検知手段により検知すると、
該変更された前記ＤＮＳサーバに登録された該通信相手の前記宛先情報に対応して前記アドレス帳に登録された該通信相手の宛先情報を自動更新手段により自動更新する
ことを特徴とする情報通信方法。
【請求項１１】
前記宛先登録手段は、
前記アドレス帳に登録された前記通信相手の宛先情報が前記通信相手の電話番号をキーとして前記ＤＮＳ問合せ手段により取得した該通信相手の前記ＮＡＰＴＲリソースレコードに基づいて前記アドレス帳に登録されたことが識別できる識別情報を更に付加する
ことを特徴とする請求項１０記載の情報通信方法。
【請求項１２】
前記宛先変更検知手段は、
前記アドレス帳に登録された前記通信相手の電話番号に対応した前記宛先情報と、前記ＤＮＳ問合せ手段により取得したＮＡＰＴＲリソースレコードから前記宛先情報抽出手段で抽出した該通信相手の前記宛先情報とを照合することにより該通信相手の前記ＤＮＳサーバに登録された前記ＮＡＰＴＲリソースレコードが変更されたこと更に検知する
ことを特徴とする請求項１０記載の情報通信方法。
【請求項１３】
前記自動更新手段は、
前記アドレス帳に登録された前記通信相手の宛先情報に基づき通信する際に接続失敗したか否かを接続判別手段により判別し、
前記接続判別手段により前記通信相手との通信の接続が失敗したと判別した場合は、該通信相手の電話番号をキーとして前記ＤＮＳ問合せ手段によりＮＡＰＴＲリソースレコードを取得し、前記ＤＮＳ問合せ手段により取得したＮＡＰＴＲリソースレコードから前記宛先情報抽出手段で該通信相手の前記宛先情報を抽出し、
該抽出した前記通信相手の前記宛先情報に基づき前記アドレス帳に登録された該通信手段の宛先情報を自動更新する
ことを特徴とする請求項１０記載の情報通信方法。
【請求項１４】
前記自動更新手段は、
前記アドレス帳に登録された前記通信相手の前記宛先情報が自動更新された場合は、自動更新されたことが識別できる識別情報を更に付加する
ことを特徴とする請求項１０乃至１３のいずれかに記載の情報通信方法。
【請求項１５】
前記自動更新手段は、
前記アドレス帳に登録された前記通信相手の前記宛先情報が自動更新された場合は、自動更新されたことを管理者の連絡先へ更に自動通知する
ことを特徴とする請求項１０乃至１４のいずれかに記載の情報通信方法。
【請求項１６】
前記ＤＮＳサーバに前記ＮＡＰＴＲリソースレコードが登録されている前記通信相手から前記ＤＮＳサーバに登録された前記ＮＡＰＴＲリソースレコードが更新された旨の更新通知が通知されたことを更新通知検知手段により更に検知し、
該検知された前記更新通知を通知した通信相手が前記アドレス帳に登録された通信相手であるか否かを通信相手判別手段により更に判別し、
前記通信相手判別手段により前記更新通知検知手段で検知された前記更新通知を通知した通信相手が前記アドレス帳に登録された通信相手であると判別した場合は、前記更新通知の内容に基づき前記アドレス帳に登録された前記更新通知を通知した通信相手の宛先情報を前記自動更新手段により更に自動更新する
ことを特徴とする請求項１０乃至１５のいずれかに記載の情報通信方法。
【請求項１７】
前記更新通知検知手段で検知された前記更新通知の内容が前記アドレス帳に登録された前記更新通知を通知した通信相手の前記宛先情報を更新するために必要な情報が揃っているか否かを更新通知情報判別手段により更に判別し、
前記更新通知情報判別手段により前記更新通知検知手段で検知された前記更新通知の内容が前記アドレス帳に登録された前記更新通知を通知した通信相手の宛先情報を更新するために必要な情報が揃っていないと判別した場合は、前記更新通知を通知した通信相手の電話番号に基づきＤＮＳ問合せ手段により当該通信相手の前記ＮＡＰＴＲリソースレコードを取得し、前記ＤＮＳ問合せ手段により取得したＮＡＰＴＲリソースレコードから前記宛先情報抽出手段で該通信相手の前記宛先情報を抽出し、
該抽出した宛先情報に基づき前記アドレス帳に登録された該通信相手の宛先情報を前記自動更新手段により更に自動更新する
ことを特徴とする請求項１６記載の情報通信方法。
【請求項１８】
前記ＤＮＳサーバに登録したＮＡＰＴＲリソースレコードをＤＮＳ宛先情報更新手段により更に変更または削除の更新を行い、
前記ＤＮＳ宛先情報更新手段により更新した内容を前記アドレス帳に登録された通信相手に対して更新通知手段により更に通知する
ことを特徴とする請求項１０乃至１７のいずれかに記載の情報通信方法。
【発明の詳細な説明】
【技術分野】
【０００１】
本発明は、情報通信装置および方法に関し、特に、ＥＮＵＭ（＝ｔＥｌｅｐｈｏｎｅ  ＮＵｍｂｅｒ  Ｍａｐｐｉｎｇ）と連動して通信相手の宛先情報を登録し、登録した通信相手の宛先情報を自動更新するアドレス帳機能を有する利便性の高い情報通信装置および方法に関する。
【背景技術】
【０００２】
近年、インターネット等のネットワーク技術やネットワークを介して行う通信のプロトコル、ネットワークに接続するコンピュータ機器等の発達と普及に伴い、公衆網電話回線を介した通信に比べ通信コストが安価で他用途の通信が可能なネットワーク通信が広く利用されている。
【０００３】
また、ひとつの通信装置で公衆網電話回線とネットワークとを介した情報通信を可能とするような通信装置も提供されている。
【０００４】
このような通信装置では、例えば、公衆網電話回線を介した情報通信を行う場合は、情報通信を行う通信相手の電話番号を入力して指定することで電話番号に対応付けられた通信相手と情報通信を行うことができる。
【０００５】
また、インターネットを介した情報通信を行う場合は、情報通信を行う通信相手のＩＰ（＝Ｉｎｔｅｒｎｅｔ  Ｐｒｏｔｏｃｏｌ）アドレス等を入力して指定することでＩＰアドレス等に対応付けられた通信相手と情報通信を行うことができる。
【０００６】
このように、ひとつの装置で公衆網電話回線とインターネット等のネットワークとを介した情報通信を可能とするような通信装置は、機能的には利便性が高いが、情報通信を行う通信相手を指定する場合は、通信相手が公衆網電話回線またはネットワークの何れに接続されているかに応じて電話番号またはＩＰアドレス等を入力する必要がある。
【０００７】
また、通信相手の電話番号またはＩＰアドレス等の宛先情報をアドレス帳に登録し、情報通信を行いたい通信相手のアドレス帳に登録された登録番号を選択することで、選択した登録番号に登録された電話番号またはＩＰアドレス等に対応付けられた通信相手と情報通信を行うことも可能である。
【０００８】
しかし、アドレス帳に通信相手の宛先情報を登録する場合は、ユーザが通信相手の電話番号やアドレス等の情報を入力する必要があるため、特に、ＩＰアドレス（例えば  ２０３．１２６．２２６．１１１等）やＩＰアドレスに対応付けられたドメイン名等を入力する作業は、ユーザにとっては煩雑な作業であり、誤登録する場合がある。
【０００９】
そこで、ひとつの装置で公衆網電話回線とネットワークとを介した情報通信を可能とするような通信装置において、通信相手の宛先情報を簡易な方法で入力可能とする、または通信相手の宛先情報を簡易な方法でアドレス帳に登録可能とするような通信装置や通信方法の提供が望まれている。
【００１０】
また、最近、ＩＴＵ−Ｔ（＝国際電気通信連合）のＥ．１６４勧告に基づく電話番号をキーとしてＤＮＳ(＝Ｄｏｍａｉｎ  Ｎａｍｅ  Ｓｙｓｔｅｍ)を検索することにより、電話番号に対応付けられた複数の通信手段を持った通信相手の複数のアドレスを得ることが可能なＥＮＵＭ（＝ｔＥｌｅｐｈｏｎｅ  ＮＵｍｂｅｒ  Ｍａｐｐｉｎｇ）と呼ばれる技術が提案されている。
【００１１】
このＥＮＵＭ技術は、ＩＴＵ−ＴによるＥ．１６４勧告に基づく電話番号をＥＮＵＭ形式のドメイン名に変換し、変換したドメイン名をＥＮＵＭ用のＤＮＳに送って問い合せることにより、通信相手が利用可能な通信手段と該通信手段に対応付けられたアドレス情報をＵＲＩ形式で得ることが可能である。
【００１２】
例えば、特許文献１には、ユーザが通信相手の名前または識別子、例えばドメイン名をインタフェースデバイスに入力することで通信相手の名前または識別子に対応付けられた電話番号を取り出し、取り出した電話番号をダイヤルすることによって電話をかけることが可能な通信ネットワークリソースロケーションに名前または識別子を割り付ける方法が提案されている。
【特許文献１】特開２００３−１２５０９９号公報
【発明の開示】
【発明が解決しようとする課題】
【００１３】
ところで、上記特許文献１には、ユーザが入力した通信相手の名前または識別子に対応付けられた電話番号等の情報をアドレス帳に登録したり、アドレス帳に登録された通信相手の名前または識別子に対応付けられた電話番号等の情報が変更された場合に、該変更された通信相手の変更内容に対応してアドレス帳に登録された通信相手の登録内容を自動更新するような装置および方法は、開示されていない。
【００１４】
そこで、本発明は、ＥＮＵＭと連動して通信相手の宛先情報を登録し、登録した通信相手の宛先情報を自動更新するアドレス帳機能を有する利便性の高い情報通信装置および方法を提供することを目的とする。
【課題を解決するための手段】
【００１５】
上記目的を達成するため、請求項１の発明は、通信相手の宛先情報を登録するアドレス帳を備えた情報通信装置において、前記通信相手の電話番号を入力する電話番号入力手段と、電話番号をキーとしてＤＮＳサーバに問い合わせることにより前記ＤＮＳサーバに登録された電話番号に対応した少なくとも１つのＮＡＰＴＲリソースレコードを取得するＤＮＳ問合せ手段と、前記ＤＮＳ問い合わせ手段により取得したＮＡＰＴＲリソースレコードから、通信手段、各通信手段の優先順位、及びアドレスの宛先情報を抽出する宛先情報抽出手段と、前記ＤＮＳ問合せ手段により前記電話番号入力手段で入力した電話番号に対応した前記宛先情報抽出手段で抽出した前記宛先情報を該電話番号に対応した通信相手の宛先情報として前記アドレス帳に登録する宛先登録手段と、前記アドレス帳に登録された通信相手で、前記ＤＮＳサーバに登録された該通信相手の前記宛先情報が変更されたことを検知する宛先変更検知手段と、前記宛先変更検知手段により前記ＤＮＳサーバに登録された前記通信相手の前記宛先情報が変更されたことを検知した場合は、該変更された前記通信相手の宛先情報に対応して前記アドレス帳に登録された該通信相手の宛先情報を自動更新する自動更新手段とを具備することを特徴とする。
【００１６】
また、請求項２の発明は、請求項１の発明において、前記宛先登録手段は、前記通信相手の宛先情報が前記ＤＮＳ問合せ手段により取得した該通信相手の前記ＮＡＰＴＲリソースレコードに基づいて前記アドレス帳に登録されたことが識別できる識別情報を付加する登録識別情報付加手段を更に具備することを特徴とする。
【００１７】
また、請求項３の発明は、請求項１の発明において、前記宛先変更検知手段は、前記アドレス帳に登録された前記通信相手の電話番号に対応した前記宛先情報と、前記ＤＮＳ問合せ手段により取得したＮＡＰＴＲリソースレコードから前記宛先情報抽出手段で抽出した該通信相手の前記宛先情報とを照合することにより該通信相手の前記ＤＮＳサーバに登録された前記ＮＡＰＴＲリソースレコードが変更されたこと検知することを特徴とする。
【００１８】
また、請求項４の発明は、請求項１の発明において、前記自動更新手段は、前記アドレス帳に登録された前記通信相手の宛先情報に基づき通信する際に接続失敗したか否かを判別する接続判別手段を更に具備し、前記接続判別手段により前記通信相手との通信の接続が失敗したと判別した場合は、該通信相手の電話番号をキーとして前記ＤＮＳ問合せ手段によりＮＡＰＴＲリソースレコードを取得し、前記ＤＮＳ問合せ手段により取得したＮＡＰＴＲリソースレコードから前記宛先情報抽出手段で該通信相手の前記宛先情報を抽出し、該抽出した前記通信相手の前記宛先情報に基づき前記アドレス帳に登録された該通信手段の宛先情報を自動更新することを特徴とする。
【００１９】
また、請求項５の発明は、請求項１乃至４のいずれかの発明において、前記自動更新手段は、前記アドレス帳に登録された前記通信相手の前記宛先情報が自動更新された場合は、自動更新されたことが識別できる識別情報を付加する更新識別情報付加手段を更に具備することを特徴とする。
【００２０】
また、請求項６の発明は、請求項１乃至５のいずれかの発明において、前記自動更新手段は、前記アドレス帳に登録された前記通信相手の前記宛先情報が自動更新された場合は、自動更新されたことが管理者の連絡先へ自動通知する管理者自動通知手段を更に具備することを特徴とする。
【００２１】
また、請求項７の発明は、請求項１乃至６のいずれかの発明において、前記ＤＮＳサーバに前記ＮＡＰＴＲリソースレコードが登録されている前記通信相手から前記ＤＮＳサーバに登録された前記ＮＡＰＴＲリソースレコードが更新された旨の更新通知が通知されたことを検知する更新通知検知手段と、前記更新通知検知手段により検知された前記更新通知を通知した通信相手が前記アドレス帳に登録された通信相手であるか否かを判別する通信相手判別手段とを更に具備し、前記通信相手判別手段により前記更新通知検知手段で検知された前記更新通知を通知した通信相手が前記アドレス帳に登録された通信相手であると判別した場合は、前記更新通知の内容に基づき前記アドレス帳に登録された前記更新通知を通知した通信相手の宛先情報を前記自動更新手段により自動更新することを特徴とする。
【００２２】
また、請求項８の発明は、請求項７の発明において、前記更新通知検知手段で検知された前記更新通知の内容が前記アドレス帳に登録された前記更新通知を通知した通信相手の前記宛先情報を更新するために必要な情報が揃っているか否かを判別する更新通知情報判別手段を更に具備し、前記更新通知情報判別手段により前記更新通知検知手段で検知された前記更新通知の内容が前記アドレス帳に登録された前記更新通知を通知した通信相手の宛先情報を更新するために必要な情報が揃っていないと判別した場合は、前記更新通知を通知した通信相手の電話番号に基づきＤＮＳ問合せ手段により当該通信相手の前記ＮＡＰＴＲリソースレコードを取得し、前記ＤＮＳ問合せ手段により取得したＮＡＰＴＲリソースレコードから前記宛先情報抽出手段で該通信相手の前記宛先情報を抽出し、該抽出した宛先情報に基づき前記アドレス帳に登録された該通信相手の宛先情報を前記自動更新手段により自動更新することを特徴とする。
【００２３】
また、請求項９の発明は、請求項１乃至８のいずれかの発明において、前記ＤＮＳサーバに登録したＮＡＰＴＲリソースレコードを変更または削除するＤＮＳ宛先情報更新手段と、前記ＤＮＳ宛先情報更新手段により更新した内容を前記アドレス帳に登録された通信相手に対して通知する更新通知手段とを更に具備することを特徴とする。
【００２４】
また、請求項１０の発明は、通信相手の宛先情報をアドレス帳に登録するための情報通信方法において、入力された電話番号をキーとしてＤＮＳサーバに問い合わせることにより前記ＤＮＳサーバに登録された該電話番号に対応した少なくとも１つのＮＡＰＴＲリソースレコードをＤＮＳ問合せ手段により取得し、前記ＤＮＳ問い合わせ手段により取得したＮＡＰＴＲリソースレコードから通信手段、各通信手段の優先順位、及びアドレスの宛先情報を宛先情報抽出手段により抽出し、該抽出した電話番号に対応した前記宛先情報を該電話番号に対応した通信相手の宛先情報として前記アドレス帳に宛先登録手段により登録された通信相手で、前記ＤＮＳサーバに登録された該通信相手の前記宛先情報が変更されたことを宛先変更検知手段により検知すると、該変更された前記ＤＮＳサーバに登録された該通信相手の前記宛先情報に対応して前記アドレス帳に登録された該通信相手の宛先情報を自動更新手段により自動更新することを特徴とする。
【００２５】
また、請求項１１の発明は、請求項１０の発明において、前記宛先登録手段は、前記アドレス帳に登録された前記通信相手の宛先情報が前記通信相手の電話番号をキーとして前記ＤＮＳ問合せ手段により取得した該通信相手の前記ＮＡＰＴＲリソースレコードに基づいて前記アドレス帳に登録されたことが識別できる識別情報を更に付加することを特徴とする。
【００２６】
また、請求項１２の発明は、請求項１０の発明において、前記宛先変更検知手段は、前記アドレス帳に登録された前記通信相手の電話番号に対応した前記宛先情報と、前記ＤＮＳ問合せ手段により取得したＮＡＰＴＲリソースレコードから前記宛先情報抽出手段で抽出した該通信相手の前記宛先情報とを照合することにより該通信相手の前記ＤＮＳサーバに登録された前記ＮＡＰＴＲリソースレコードが変更されたこと更に検知することを特徴とする。
【００２７】
また、請求項１３の発明は、請求項１０の発明において、前記自動更新手段は、前記アドレス帳に登録された前記通信相手の宛先情報に基づき通信する際に接続失敗したか否かを接続判別手段により判別し、前記接続判別手段により前記通信相手との通信の接続が失敗したと判別した場合は、該通信相手の電話番号をキーとして前記ＤＮＳ問合せ手段によりＮＡＰＴＲリソースレコードを取得し、前記ＤＮＳ問合せ手段により取得したＮＡＰＴＲリソースレコードから前記宛先情報抽出手段で該通信相手の前記宛先情報を抽出し、該抽出した前記通信相手の前記宛先情報に基づき前記アドレス帳に登録された該通信手段の宛先情報を自動更新することを特徴とする。
【００２８】
また、請求項１４の発明は、請求項１０乃至１３のいずれかの発明において、前記自動更新手段は、前記アドレス帳に登録された前記通信相手の前記宛先情報が自動更新された場合は、自動更新されたことが識別できる識別情報を更に付加することを特徴とする。
【００２９】
また、請求項１５の発明は、請求項１０乃至１４のいずれかの発明において、前記自動更新手段は、前記アドレス帳に登録された前記通信相手の前記宛先情報が自動更新された場合は、自動更新されたことを管理者の連絡先へ更に自動通知することを特徴とする。
【００３０】
また、請求項１６の発明は、請求項１０乃至１５のいずれかの発明において、前記ＤＮＳサーバに前記ＮＡＰＴＲリソースレコードが登録されている前記通信相手から前記ＤＮＳサーバに登録された前記ＮＡＰＴＲリソースレコードが更新された旨の更新通知が通知されたことを更新通知検知手段により更に検知し、該検知された前記更新通知を通知した通信相手が前記アドレス帳に登録された通信相手であるか否かを通信相手判別手段により更に判別し、前記通信相手判別手段により前記更新通知検知手段で検知された前記更新通知を通知した通信相手が前記アドレス帳に登録された通信相手であると判別した場合は、前記更新通知の内容に基づき前記アドレス帳に登録された前記更新通知を通知した通信相手の宛先情報を前記自動更新手段により更に自動更新することを特徴とする。
【００３１】
また、請求項１７の発明は、請求項１６の発明において、前記更新通知検知手段で検知された前記更新通知の内容が前記アドレス帳に登録された前記更新通知を通知した通信相手の前記宛先情報を更新するために必要な情報が揃っているか否かを更新通知情報判別手段により更に判別し、前記更新通知情報判別手段により前記更新通知検知手段で検知された前記更新通知の内容が前記アドレス帳に登録された前記更新通知を通知した通信相手の宛先情報を更新するために必要な情報が揃っていないと判別した場合は、前記更新通知を通知した通信相手の電話番号に基づきＤＮＳ問合せ手段により当該通信相手の前記ＮＡＰＴＲリソースレコードを取得し、前記ＤＮＳ問合せ手段により取得したＮＡＰＴＲリソースレコードから前記宛先情報抽出手段で該通信相手の前記宛先情報を抽出し、該抽出した宛先情報に基づき前記アドレス帳に登録された該通信相手の宛先情報を前記自動更新手段により更に自動更新することを特徴とする。
【００３２】
また、請求項１８の発明は、請求項１０乃至１７のいずれかの発明において、前記ＤＮＳサーバに登録したＮＡＰＴＲリソースレコードをＤＮＳ宛先情報更新手段により更に変更または削除の更新を行い、前記ＤＮＳ宛先情報更新手段により更新した内容を前記アドレス帳に登録された通信相手に対して更新通知手段により更に通知することを特徴とする。
【発明の効果】
【００３３】
本発明の情報通信装置および方法によれば、アドレス帳に登録された通信相手で、ＤＮＳサーバに登録された該通信相手の宛先情報が変更されたことを宛先変更検知手段により検知し、該変更されたＤＮＳサーバに登録された該通信相手の宛先情報に対応してアドレス帳に登録された該通信相手の宛先情報を自動更新手段により自動更新するように構成したので、アドレス帳の整理作業の負荷を軽減するとともに、接続不可等となるような不要な通信を防止することができる。
【００３４】
また、ＤＮＳサーバに登録した宛先情報をＤＮＳ宛先情報更新手段により更に変更または削除の更新を行い、ＤＮＳ宛先情報更新手段により更新した内容をアドレス帳に登録された通信相手に対して更新通知手段により更に通知するように構成したのでアドレス帳に登録された通信相手に対して宛先情報の更新内容を確実に通知することができる。
【００３５】
また、アドレス帳に登録された通信相手の宛先情報に基づき通信する際に接続失敗したか否かを接続判別手段により判別し、通信相手との通信の接続が失敗したと判別した場合は、該通信相手の電話番号に基づきＤＮＳ問合せ手段により該通信相手のＮＡＰＴＲリソースレコードを取得し、宛先情報抽出手段で宛先情報を抽出し、該抽出した通信相手の宛先情報に基づきアドレス帳に登録された該通信手段の宛先情報を自動更新するように構成したので通信相手が宛先情報を変更し、該通信相手からの宛先情報の変更情報が通知されない場合であってもアドレス帳の登録された当該通信相手の宛先情報を変更された宛先情報へ自動更新することができる。
【００３６】
更に、アドレス帳に登録された通信相手の宛先情報が自動更新された場合は、自動更新されたことを管理者の連絡先へ自動通知するように構成したので、アドレス帳に登録された通信相手が自動更新された旨を管理者が確実に知ることができる。
【発明を実施するための最良の形態】
【００３７】
以下、本発明に係わる情報通信装置の一実施例について添付図面を参照して詳細に説明する。
【００３８】
図１は本発明に係わる情報通信装置１００の接続状態の一例を示した概略図である。
【００３９】
図１に示すように、情報通信装置１００は、インターネット１８０や公衆網電話回線（ＰＳＴＮ）２００と接続されており、インターネット１８０にはＷＷＷや電子メール通信が可能なコンピュータ３０、４０及びインターネットＦＡＸ装置（＝ｉＦＡＸ）５０等の各端末装置が接続され、公衆網電話回線（ＰＳＴＮ）２００には、電話機１０や図示せぬＦＡＸ装置等の各種端末装置が接続されている。
【００４０】
また、インターネット１８０には、本発明に係わる情報通信方法を実現可能とするＥＮＵＭ技術を適用したＥＮＵＭシステム６０が接続され、ＥＮＵＭシステム６０を構成するＥＮＵＭ用のＤＮＳ１９０（以下、「ＥＮＵＭ用ＤＮＳ１９０」という。）と接続されている。
【００４１】
また、インターネット１８０や公衆網電話回線（ＰＳＴＮ）２００には、本発明に係わる情報通信装置１００と同様な構成と機能を有する情報通信装置１００とは他の情報通信装置１１０が接続されている。
【００４２】
ここで言うＥＮＵＭとは、ＩＴＵ−ＴのＥ．１６４勧告に基づく電話番号をキーとしてＥＮＵＭ用ＤＮＳ１９０に登録されたＮＡＰＴＲ（Ｎａｍｉｎｇ  Ａｕｔｈｏｒｉｔｙ  Ｐｏｉｎｔｅｒ）−ＲＲ（＝Ｒｅｓｏｕｒｃｅ  Ｒｅｃｏｒｄ）を検索し、Ｅ．１６４勧告に基づく電話番号に対応するひとつまたは複数のアプリケーションをＵＲＩ（＝Ｕｎｉｆｏｒｍ  Ｒｅｓｏｕｒｃｅ  Ｉｄｅｎｔｉｆｉｅｒｓ）形式で得る機構である。
【００４３】
ＮＡＰＴＲ−ＲＲは、電話番号に基づくドメイン名に対応付けられた通信種別、例えば通信プロトコル等の種別や通信相手のアドレス等の情報を記録したものであり、詳細は後述する。
【００４４】
また、ＥＮＵＭは、現在、ＥＮＵＭ仕様の検討及び標準化がＩＥＴＦ（＝Ｉｎｔｅｒｎｅｔ  Ｅｎｇｉｎｅｅｒｉｎｇ  Ｔａｓｋ  Ｆｏｒｃｅ）のＥＮＵＭワーキンググループを中心に進められており、本発明に係わる情報通信装置１００で適用されるＥＮＵＭは、ＩＥＴＦのＥＮＵＭの仕様に準拠するものである。
【００４５】
ＥＮＵＭにより、ひとつのＥ．１６４に基づく電話番号をインターネット１８０上の利用可能なひとつまたは複数のアプリケーションに対応付けることができることから、Ｅ．１６４に基づく電話番号に対する電話以外の通信手段を統合的に提供することが可能となる。
【００４６】
図１に示すように、情報通信装置１００は、通信相手のＥ．１６４に基づく電話番号に基づきＥＮＵＭ用ＤＮＳ１９０に登録された通信相手の端末装置が利用可能な通信手段及びアドレス等の情報が記録されたＮＡＰＴＲ−ＲＲ情報を参照し、通信相手の端末装置に相応しいアプリケーションを起動して通信相手の端末装置と通信を行うことを可能にする。
【００４７】
具体的には、例えば情報通信を行いたい通信相手の電話番号に対応付けられたドメイン名に基づきＥＮＵＭ用ＤＮＳ１９０に問い合わせを行うと、ＥＮＵＭ用ＤＮＳ１９０からドメイン名に対応付けられたＮＡＰＴＲ−ＲＲ情報が返信される。
【００４８】
ＮＡＰＴＲ−ＲＲ情報に基づき、例えば「ｓｉｐ：ｉｎｆｏ＠ｎｉｃ．ａｄ．ｊｐ」というＵＲＩを得たとすると、これによりアプリケーションプログラムは、「ｓｉｐ：ｉｎｆｏ＠ｎｉｃ．ａｄ．ｊｐ」に対してＳＩＰを用いて通信相手の端末装置とのセッションを確立することが可能であることを認識することができる。
【００４９】
また、通信相手の端末装置がインターネットＦＡＸ通信が可能ならば情報通信装置１００は、例えばインターネットＦＡＸ通信が可能なアプリケーションやプロトコル等を起動してインターネットＦＡＸ通信を行う。
【００５０】
なお、アプリケーションには、電話、ＳＩＰ、Ｈ．３２３、ファクシミリ、電子メール、インスタントメッセンジャー、インターネット電話、電子メール、ＷＷＷ等が想定される。
【００５１】
このような情報通信が可能な情報通信装置１００の構成について図２を参照して詳細に説明する。
【００５２】
図２は，本発明に係わる情報通信装置１００の構成例を示すブロック図である。
【００５３】
図２に示すように、情報通信装置１００は、ＥＮＵＭと連動して公衆網電話回線２００及びインターネット１８０を介して情報の送受信が可能なように構成されており、インターネット１８０にはＥＮＵＭと連動可能なようにＥ．１６４の電話番号に基づくドメイン名に対応したＮＡＰＴＲ−ＲＲ情報を提供するＥＮＵＭ用ＤＮＳ１９０が接続されている。
【００５４】
情報通信装置１００は、情報通信装置１００の全体を統括制御するシステム制御部１０１と、所定の解像度で原稿画像を読み取るスキャナ部１０２と、所定の解像度で画像を記録出力するプリンタ部１０３と、情報通信装置１００の操作で使用される各種操作キーおよび各種表示部をもつ操作／表示部１０４と、スキャナ部１０２から読み込まれた画像または、受信した画像を蓄積する画像蓄積部１０５と、システムデータや通信相手のアドレス等の宛先情報を記憶するＲＡＭ（＝Ｒａｎｄｏｍ  Ａｃｃｅｓｓ  Ｍｅｍｏｒｙ）１０６と、画像データに対する符号化、復号化、拡大、縮小等の処理を行う画像処理部１１０と、ファイルフォーマットの変換処理を行うファイル変換部１１１と、公衆網電話回線２００を介して画情報の送受信の処理を行うＦＡＸ部１２０と、ＥＮＵＭ更新情報の通信等に使用するＨＴＴＰ、ＳＩＰ等のトランスポートプロトコル制御部１３０、電子メールプロトコルを用いて画情報等の送受信の処理を行う電子メール部１４０と、インターネット１８０を介してＥＮＵＭ用ＤＮＳ１９０との間で送受信される情報の処理及び送受信の制御を行うＥＮＵＭ用ＤＮＳ処理部１５０とを備え、これら各部の制御信号及びデータ信号等がバス１０７を介して送受される。
【００５５】
なお、電子メール部１４０はスキャンした画情報を指定された宛先に指定されたファイルフォーマットで電子メール送信するサービス(＝Ｓｃａｎ ｔｏ Ｅｍａｉｌ)に加え、ＩＴＵ−Ｔ勧告Ｔ．３７のｉＦＡＸ通信サービスの画情報送受信もサポートする。
【００５６】
また、情報通信装置１００は、インターネット１８０のトランスポート層とネットワーク層のプロトコル制御を行うＴＣＰ（＝Ｔｒａｎｓｍｉｓｓｉｏｎ  Ｃｏｎｔｒｏｌ  Ｐｒｏｔｏｃｏｌ）／ＵＤＰ（＝Ｕｓｅｒ  Ｄａｔａｇｒａｍ  Ｐｒｏｔｏｃｏｌ）／ＩＰ（＝Ｉｎｔｅｒｎｅｔ  Ｐｒｏｔｏｃｏｌ）制御部１０８と、データリンク層以下の通信制御を行うネットワークインタフェース１０９を備えており、情報通信装置１００とインターネット１８０とは、ネットワーク１７０を介して接続されている。
【００５７】
ネットワーク１７０は、例えばＬＡＮ（＝Ｌｏｃａｌ  Ａｒｅａ  Ｎｅｔｗｏｒｋ）等のネットワークであり、ネットワーク１７０は、インターネット１８０と情報通信装置１００とが情報の送受信可能なように必要な図示せぬサーバ等が設置されネットワーク１７０に接続された情報通信装置１００や各端末装置の管理等が行われている。
【００５８】
ＦＡＸ部１２０は、画情報の送受信時に画像の解像度、サイズ、符号則等を変換処理する通信画像処理部１２１と、ＩＴＵ−Ｔ勧告Ｔ．３０が規定するプロトコル制御を行うＴ３０制御部１２２と、アナログ信号とデジタル信号の変復調を行うモデム１２３と、公衆網電話回線２００との接続制御を行うＮＣＵ（＝Ｎｅｔｗｏｒｋ  Ｃｏｎｔｒｏｌ  Ｕｎｉｔ）１２４を備えている。
【００５９】
電子メール部１４０は、画情報の送受信時に画像の解像度、サイズ、符号則等を変換処理する通信画像処理部１４１と、既存の電子メール及びｉＦＡＸの送受信制御を行うためのメールプロトコル(ＳＭＴＰ、ＥＳＭＴＰ、ＰＯＰ等)制御を行うメールプロトコル制御部１４３を備えている。
【００６０】
前記通信画像処理部１４１を備えることにより、メールサーバーを介さずに通信相手の端末装置と直接通信を行うリアルタイム型のｉＦＡＸ通信方式(ＩＥＴＦで制定されつつあるＤｉｒｅｃｔ  ＳＭＴＰ方式)もサポート可能である。
【００６１】
ＥＮＵＭ用ＤＮＳ処理部１５０は、ＥＮＵＭと連動してＥＮＵＭ用ＤＮＳ１９０に対して問い合わせを行い、問い合わせに対してＥＮＵＭ用ＤＮＳ１９０から返信されてくるＮＡＰＴＲ−ＲＲ情報を受信し、受信した情報に基づき後述する各種処理を行う。
【００６２】
このように構成された情報通信装置１００で情報通信を行う場合の処理動作について、画情報を送信する場合を例に簡単に説明すると次のような動作となる。
【００６３】
例えば、図示せぬユーザは、まず、送信する画情報の原稿を情報通信装置１００の図示せぬ原稿台へ置き、画情報を送信する通信相手の電話番号または通信手段及び通信手段に対応したアドレス情報を操作／表示部１０４に配置された図示せぬテンキーや各種機能キーを押下して入力するか、または後述するアドレス帳に登録された通信相手の登録番号を選択して通信相手の電話番号または各通信手段を指定する。
【００６４】
ＥＮＵＭと連動することなく画情報をファックス送信する場合は、入力された電話番号または選択された登録番号に対応した電話番号や通信手段に基づき、通信相手が利用可能な通信手段が公衆網電話回線２００を介したＦＡＸ通信の場合は、システム制御部１０１の命令指示によってスキャナ部１０２で取り込まれた画像データに対し画像処理部１１０で画像処理を施した後、画像蓄積部１０５を経由してＦＡＸ部１２０に送られ、ＦＡＸ部１２０内のＮＣＵ１２４を介して公衆網電話回線２００へ送られてファックス通信が行われる。
【００６５】
また、通信相手が利用可能な通信手段がインターネット１８０を介したｉＦＡＸ通信の場合は、システム制御部１０１の命令指示によってスキャナ部１０２で取り込まれた画像データに対し画像処理部１１０で画像処理を施した後、画像蓄積部１０５を経由し、ファイル変換部１１１でファイルフォーマット変換、ＭＩＭＥエンコードして、電子メール部１４０に送られ、通信手段に対応したプロトコル制御が行われた後、ＴＣＰ／ＵＤＰ／ＩＰ制御部１０８、ネットワークインタフェース１０９、ネットワーク１７０を介してインターネット１８０へ送られてｉＦＡＸ通信が行われる。
【００６６】
ＥＮＵＭと連動して画情報をファックス送信する場合は、操作／表示部１０４で通信相手の電話番号の入力前後において、図示せぬＥＮＵＭボタンが押下されることにより、ＥＮＵＭの連動して通信相手の端末装置が利用可能な通信手段及び通信手段に対応したアドレス情報を取得し、取得した通信手段及びアドレス情報の基づき画情報の送信が行われる。
【００６７】
具体的には、通信相手の電話番号の入力前後において、図示せぬＥＮＵＭボタンが押下されると、入力された電話番号またはアドレス帳に登録された電話番号が、システム制御部１０１によってＥＮＵＭ用ＤＮＳ処理部１５０に送られ、ＥＮＵＭ用ＤＮＳ処理部１５０によって電話番号がＥＮＵＭ形式のドメイン名に変換され、変換されたドメイン名がＴＣＰ／ＵＤＰ／ＩＰ制御部１０８とネットワークインタフェース１０９及びネットワーク１７０を介してインターネット１８０に接続されたＥＮＵＭ用ＤＮＳ１９０に送信されてドメイン名に対応したＮＡＰＴＲ−ＲＲ情報が参照される。
【００６８】
ＥＮＵＭ用ＤＮＳ処理部１５０が電話番号をＥＮＵＭ形式のドメイン名に変換する方法は、具体的には、例えば、電話番号が「０３−５２９７−２３１１」とすると、日本の市外局番から始まる電話番号を基に、先頭の「０」を削除し、Ｅ．１６４番号規定に基づき日本国の国コード「８１」を付加して数字以外の記号を除いて数字間にドット「．」を付加した「８．１．３．５．２．９．７．２．３．１．１」に変換し、更に数字を逆順にして末尾に文字列「．ｅ１６４．ａｒｐａ」を付加した「１．１．３．２．７．９．２．５．３．１．８．ｅ１６４．ａｒｐａ」の文字列のドメイン名に変換する。
【００６９】
情報通信装置１００からのドメイン名に対応するＮＡＰＴＲ−ＲＲ情報の問い合わせに対してＥＮＵＭ用ＤＮＳ１９０は、ＥＮＵＭ用ＤＮＳ１９０に登録されているドメイン名を参照し、情報通信装置１００から送信されたドメイン名に対応するＮＡＰＴＲ−ＲＲ情報を情報通信装置１００に返信する。  
ＥＮＵＭ用ＤＮＳ１９０から返信されたドメイン名に対応するＮＡＰＴＲ−ＲＲ情報は、インターネット１８０及びネットワーク１７０を介して情報通信装置１００のネットワークインタフェース１０９へ入力され、更にＴＣＰ／ＵＤＰ／ＩＰ制御部１０７を介してＥＮＵＭ用ＤＮＳ処理部１５０へ入力される。
【００７０】
情報通信装置１００から送信されたドメイン名に対応するＮＡＰＴＲ−ＲＲ情報は、具体的には、例えば、電話番号に対応する通信相手の端末装置が利用可能な通信手段（例えば通信プロトコルの種別等の情報）や通信手段に対応したアドレス情報及び各通信手段の優先順位等の情報である。
【００７１】
ＥＮＵＭ用ＤＮＳ処理部１５０は、ＥＮＵＭ用ＤＮＳ１９０から返信されたＮＡＰＴＲ−ＲＲ情報に基づき、通信相手が通信可能な通信手段と該通信手段を使用した場合の通信先のアドレス情報等をＵＲＩ形式で取り出し、さらに、通信手段の優先順位が設定されている場合には、その優先順位を取り出してシステム制御部１０１の命令指示に基づき通信相手の通信手段とアドレス及び優先順位を操作／表示部１０４へ送信したり、後述する通信相手の電話番号及び通信手段に対応したアドレス情報を記憶するアドレス帳等を記憶するＲＡＭ１０６へ送信する。
【００７２】
これらの情報が表示された操作／表示部１０４において、ユーザが所望の通信手段を選択すると、ユーザが選択した通信手段で通信が可能なように当該通信手段のプロトコル等を起動し、アドレス情報に示した宛先へ画情報の送信が行われる。
【００７３】
なお、情報通信装置１００の通信相手は、一般の公衆網電話回線２００に接続された電話１０やファクシミリ装置、インターネット１８０に接続されたインターネットファクシミリ装置５０、コンピュータ３０、４０等及び種々のネットワークに接続された端末装置等である。
【００７４】
ところで、本発明に係わる情報通信装置１００は、ＥＮＵＭと連動して通信相手の電話番号や通信相手の端末装置が利用可能な通信手段や各通信手段の優先順位及びアドレス情報等の宛先情報を記憶するアドレス帳機能を有しており、このアドレス帳機能は、「アドレス登録機能」と、「更新情報通知機能」と、「アドレス自動更新機能」と、「アドレス確認更新機能」を有している。
【００７５】
「アドレス登録機能」は、ＥＮＵＭと連動して通信相手の電話番号や通信相手の端末装置が利用可能な通信手段、各通信手段の優先順位及びアドレス情報等の宛先情報をアドレス帳へ登録する機能であり、登録した通信相手がＥＮＵＭに対応した端末装置である場合は、ＥＮＵＭ対応の通信相手であることを識別する識別情報が付加されて登録される。
【００７６】
また、「更新情報通知機能」は、ＥＮＵＭに登録した自機（例えば、情報識別装置１００）の電話番号や利用可能な通信手段及びアドレス等の情報を変更した場合の更新情報をアドレス帳に登録されたＥＮＵＭ対応の通信相手に対して通知する。
【００７７】
また、「アドレス自動更新機能」は、「アドレス登録機能」によりアドレス帳に登録されたＥＮＵＭ対応の通信相手の宛先情報を定期的に最新情報へ更新する、またはＥＮＵＭ対応の通信相手から通知された宛先情報の削除や変更等の更新情報に対応してアドレス帳に登録された当該通信相手の宛先情報を自動更新する。
【００７８】
また、「アドレス確認更新機能」は、アドレス帳によりアドレス帳に登録されたＥＮＵＭ対応の通信相手に対して通信接続を行い、接続エラーが発生した場合は、当該通信相手の最新のＮＡＰＴＲリソースレコードをＥＮＵＭ用ＤＮＳ１９０から取得してアドレス帳に登録されている宛先情報を最新の宛先情報に自動更新する。
【００７９】
このように情報通信装置１００は、ＥＮＵＭと連動してアドレス帳に通信相手の宛先情報を登録するとともに、アドレス帳に登録されたＥＮＵＭ対応の通信相手の宛先情報が更新された場合は、更新ざれた宛先情報に対応してアドレス帳に登録された当該通信相手の宛先情報を自動更新するような機能を備えている。
【００８０】
これらの機能の処理動作について以下に説明する。
【００８１】
まず、「アドレス登録機能」の処理動作について図３乃至図８を参照して詳細に説明する。
【００８２】
図３は、「アドレス登録機能」の概略の処理動作を示すフローチャートである。
【００８３】
図３に示すように、ユーザが情報通信装置１００の操作／表示部１０４に配置された図示せぬアドレス帳登録機能キーを押下すると、アドレス登録機能が開始され（ステップＳ３００）、図示せぬ登録番号選択画面が表示される。
【００８４】
登録番号選択画面で通信相手の宛先情報を登録するアドレス帳の登録番号を選択すると（ステップＳ３０１）、後述する登録メニュー画面が表示される（ステップＳ３０２）。
【００８５】
登録メニュー画面は、ＥＮＵＭと連動して通信相手の宛先情報を自動登録または通信相手の宛先情報をユーザが選択して登録するか、ＥＮＵＭと連動しないで通信相手の宛先情報をユーザが入力登録する等の複数の登録方法が選択可能なように構成されている。
【００８６】
登録メニュー画面で通信相手の名称及び電話番号を入力し、ＥＮＵＭと連動して通信相手の宛先情報を自動登録する機能に対応した図示せぬボタンを選択すると（ステップＳ３０３）、ユーザが入力した通信相手の電話番号に基づきＥＮＵＭ用ＤＭＳ１９０に対して問い合わせ処理を行い（ステップＳ３０４）、電話番号に対応付けられた通信手段や通信手段の優先順位及びアドレス等の情報を記録したＮＡＰＴＲ−ＲＲ情報を取得する。  
ＥＮＵＭ用ＤＭＳ１９０に対する問い合わせの結果、ＮＡＰＴＲ−ＲＲ情報が得られなかった場合（ステップＳ３０５でＮＯ）、すなわち、ＥＮＵＭ用ＤＭＳ１９０に通信相手の電話番号に対応付けられたＮＡＰＴＲ−ＲＲ情報が登録されてない場合は、「宛先は、ＥＮＵＭに登録されていません。」等のエラーメッセージを表示（ステップＳ３０８）後、登録メニュー画面の表示へ戻る（ステップＳ３０２）。
【００８７】
ＥＮＵＭ用ＤＭＳ１９０に対する問い合わせにより通信相手の電話番号に対応付けられたＮＡＰＴＲ−ＲＲ情報が得られた場合は（ステップＳ３０５でＹＥＳ）、取得したＮＡＰＴＲ−ＲＲ情報に基づき情報通信装置１００が利用可能な通信手段に適合する通信相手の通信手段、通信手段の優先順位及びアドレス等の情報をＲＡＭ１０６の図示せぬアドレス帳に登録するＥＮＵＭ自動登録処理を行い（ステップＳ３０６、ステップＳ３０７でＹＥＳ、ステップＳ３０９）、登録後、アドレス登録機能の処理動作は終了する（ステップＳ３１０）。
【００８８】
ステップＳ３０７において、取得したＮＡＰＴＲ−ＲＲ情報に情報通信装置１００が利用可能な通信手段に適合する通信手段等の情報が記録されていない場合は（ステップＳ３０７でＮＯ）、「宛先は、適合するサービスがありません。」等のエラーメッセージ表示（ステップＳ３０８）後、登録メニュー画面の表示へ戻り（ステップＳ３０２）、ステップＳ３０２以降の処理をユーザがアドレス登録機能の処理動作の終了を指示するまで繰り返す。
【００８９】
このように処理動作する「アドレス登録機能」の特徴について操作画面及び情報の流れを示しながら詳細に説明する。
【００９０】
図４は、アドレス帳の登録番号に対応した登録メニュー画面４００を示す図である。
【００９１】
登録メニュー画面４００は、前述したように、ユーザが操作／表示部１０４で図示せぬアドレス帳登録機能キーを押下し、通信相手の宛先情報を登録するアドレス帳の登録番号を登録番号選択画面で指定することで操作／表示部１０４に表示される。
【００９２】
登録メニュー画面４００には、図４に示すように、通信相手の名称及び電話番号を入力する「宛先名」欄４０２と「宛先番号」欄４０３の入力欄と、ＥＮＵＭアドレス自動登録機能を動作させる「ＥＮＵＭ自動登録」ボタン４０４等と、入力データ及び各機能ボタン４０４等の選択を無効とする「ＣＡＮＣＥＬ」ボタン４０７が表示されており、ＥＮＵＭと連動して通信相手の宛先情報をアドレス帳へ自動登録したい場合は、アドレス帳に登録したい通信相手の「宛先名」４０２及び「宛先番号」４０３を図示せぬテンキー等で入力後、「ＥＮＵＭ自動登録」ボタン４０４を選択する。
【００９３】
なお、操作／表示部１０４に表示される登録メニュー画面４００等の各種画面はタッチパネル式となっており、画面上に表示されているボタン４０４等を指等でタッチすることで該ボタンに登録されている機能が実行できる。
【００９４】
登録メニュー画面４００において、ユーザがアドレス帳に登録する通信相手の宛先名を例えば「富士  太郎」４０２及び宛先番号を例えば「０３−１２３４−５６７８」４０３と入力し、「ＥＮＵＭ自動登録」ボタン４０４をタッチすると、情報通信装置１００がＥＮＵＭ用ＤＮＳ１９０に対して宛先番号「０３−１２３４−５６７８」４０３に対応するＮＡＰＴＲ−ＲＲ情報の問い合わせを行う。
【００９５】
ＮＡＰＴＲ−ＲＲ情報には、前述に説明したように、電話番号に対応付けられた少なくともひとつ以上の通信手段（例えば、電子メール通信、インターネットファックス通信等の情報）と、各通信手段の優先順位及び各通信手段のＵＲＩ情報（例えば、アドレス情報等）が記録されている。  
このＥＮＵＭ用ＤＮＳ１９０に対する問い合わせ処理は、情報通信装置１００のＥＮＵＭ用ＤＮＳ処理部１５０が主に行う処理であり、入力された宛先番号「０３−１２３４−５６７８」４０３のデータがシステム制御部１０１の命令指示により操作／表示部１０４からバス１０７を介してＥＮＵＭ用ＤＮＳ処理部１５０に送られ、ＥＮＵＭ用ＤＮＳ処理部１５０が入力された宛先番号「０３−１２３４−５６７８」４０３をＥＮＵＭ形式のドメイン名に変換する。
【００９６】
宛先番号「０３−１２３４−５６７８」４０３をＥＮＵＭ形式のドメイン名へ変換する方法は、前述した変換方法と同様に、日本の市外局番から始まる電話番号を基に、宛先番号「０３−１２３４−５６７８」４０３の先頭の「０」を削除し、Ｅ．１６４番号規定に基づき日本国の国コード「８１」を付加して数字以外の記号を除いて数字間にドット「．」を付加した「８．１．３．１．２．３．４．５．６．７．８」に変換後、更に数字を逆順にして末尾に文字列「．ｅ１６４．ａｒｐａ」を付加した「８．７．６．５．４．３．２．１．３．１．８．ｅ１６４．ａｒｐａ」の文字列のドメイン名に変換する。
【００９７】
ＥＮＵＭ用ＤＮＳ処理部１５０によって宛先番号「０３−１２３４−５６７８」４０３がＥＮＵＭ形式のドメイン名「８．７．６．５．４．３．２．１．３．１．８．ｅ１６４．ａｒｐａ」に変換されると、変換されたドメイン名がＴＣＰ／ＵＤＰ／ＩＰ制御部１０８とネットワークインタフェース１０９及びネットワーク１７０を介してインターネット１８０に接続されたＥＮＵＭ用ＤＮＳ１９０に送信されてドメイン名「８．７．６．５．４．３．２．１．３．１．８．ｅ１６４．ａｒｐａ」に対応したＮＡＰＴＲ−ＲＲ情報の問い合わせを行う。
【００９８】
ＥＮＵＭ用ＤＮＳ１９０には、図５に示すようなＩＴＵ−ＴのＥ．１６４勧告に基づく電話番号に対応したドメイン名と、ドメイン名に対応付けられた通信手段や通信手段の優先順位及びアドレス等の情報を記録したＮＡＰＴＲ−ＲＲ情報６００が図示せぬデータベースに登録されている。
【００９９】
図５は、ＥＮＵＭ用ＤＮＳ１９０に登録されたＮＡＰＴＲ−ＲＲ情報６００の一例を示す図である。
【０１００】
図５に示すように、ＥＮＵＭ用ＤＮＳ１９０に登録されたＮＡＰＴＲ−ＲＲ情報６００は、一つのドメイン名に対して複数のリソースレコードが定義できるように構成されている。
【０１０１】
具体的には、ＮＡＰＴＲ−ＲＲ情報６００の書式は、「＄ＯＲＩＧＩＮ」行と、「ＩＮ  ＮＡＰＴＲ」行とで構成され、「＄ＯＲＩＧＩＮ」行にはドメイン名、「ＩＮ  ＮＡＰＴＲ」行には、「＄ＯＲＩＧＩＮ」行のドメイン名に対応付けられた通信手段のプロトコル・サービスと、アドレス及び通信手段の優先順位等の情報を記録して登録可能なように構成されている。
【０１０２】
例えば、ドメイン名「８．７．６．５．４．３．２．１．３．１．８．ｅ１６４．ａｒｐａ」に対応したＮＡＰＴＲ−ＲＲ情報６５０は、ドメイン名を示す「＄ＯＲＩＧＩＮ」行６０１の「８．７．６．５．４．３．２．１．３．１．８．ｅ１６４．ａｒｐａ」というひとつのドメイン名に対してリソースレコードを示す複数の「ＩＮ  ＮＡＰＴＲ」行６１、６２、６３が記録されて登録されている。
【０１０３】
「ＩＮ  ＮＡＰＴＲ」行の書式は、「ＩＮ  ＮＡＰＴＲ  ｏｒｄｅｒ  ｐｒｅｆｅｒｅｎｃｅ  ｆｌａｇｓ  ｓｅｒｖｉｃｅ  ｒｅｇｅｘｐ  ｒｅｐｌａｃｅｍｅｎｔ」等の書式で定義され、「ｏｒｄｅｒ」及び「ｐｒｅｆｅｒｅｎｃｅ」は、優先順位情報を示し、「ｏｒｄｅｒ」の値が小さい順に優先順位を高く、「ｏｒｄｅｒ」の値が同一の値が複数存在する場合は、「ｐｒｅｆｅｒｅｎｃｅ」の値が小さい順に優先順位が高いことを示している。
【０１０４】
また、「ｓｅｒｖｉｃｅ」に定義される文字列は、プロトコル・サービスを示し、「ｒｅｇｅｘｐ」及び「ｒｅｐｌａｃｅｍｅｎｔ」は、アドレス情報を示している。
【０１０５】
「ＩＮ  ＮＡＰＴＲ」行６１の「ＩＮ  ＮＡＰＴＲ  １００  １０  ”Ｕ”  ”  Ｅ２Ｕ＋ｉｆａｘ：ｍａｉｌｔｏ  ”  ”！＾．＊＄！ｍａｉｌｔｏ：ｉｎｆｏ−ｆａｘ＠ｉｆａｘ．ｃｏｍ！  ”．」は、「ｏｒｄｅｒ」が「１００」、「ｐｒｅｆｅｒｅｎｃｅ」が「１０」、「ｆｌａｇｓ」が「”Ｕ”」、「ｓｅｒｖｉｃｅ」が「  ”  Ｅ２Ｕ＋ｉｆａｘ：ｍａｉｌｔｏ  ”」６１１、「ｒｅｇｅｘｐ」が「”！＾．＊＄！ｍａｉｌｔｏ：ｉｎｆｏ−ｆａｘ＠ｉｆａｘ．ｃｏｍ！  ”」をそれそれ示しており、インターネットファックスプロトコルが利用可能でインターネットファックス通信を行う場合のアドレスが「ｉｎｆｏ−ｆａｘ＠ｉｆａｘ．ｃｏｍ」６１２であることを示している。
【０１０６】
また、「ＩＮ  ＮＡＰＴＲ」行６２は、「”Ｅ２Ｕ＋ｍａｉｌｔｏ”」の電子メール通信のプロトコルが利用可能で電子メール通信を行う場合のアドレスが「ｉｎｆｏ−ｍａｉｌ＠ｍａｉｌ．ｃｏｍ！」６２２であることを示し、「ＩＮ  ＮＡＰＴＲ」行６３は、「”Ｅ２Ｕ＋ｔｅｌ”」のプロトコルが利用可能で公衆網電話回線２００を介したファックス通信を行う場合のアドレスが「８１３１２３４５６７８」６３２であることをそれぞれ示している。
【０１０７】
このように、ひとつのドメイン名６０１に対して複数の「ＩＮ  ＮＡＰＴＲ」行６１、６２、６３、・・・等に設定された通信手段が対応付けられて登録されている。
【０１０８】
情報通信装置１００からのドメイン名「８．７．６．５．４．３．２．１．３．１．８．ｅ１６４．ａｒｐａ」に対応するＮＡＰＴＲ−ＲＲ情報の問い合わせに対してＥＮＵＭ用ＤＮＳ１９０は、ＥＮＵＭ用ＤＮＳ１９０に登録されているＮＡＰＴＲ−ＲＲ情報６００を参照し、ドメイン名「８．７．６．５．４．３．２．１．３．１．８．ｅ１６４．ａｒｐａ」に対応するＮＡＰＴＲ−ＲＲ情報６５０の「＄ＯＲＩＧＩＮ」行６０のドメイン名「８．７．６．５．４．３．２．１．３．１．８．ｅ１６４．ａｒｐａ」６０１を検索し、ドメイン名「８．７．６．５．４．３．２．１．３．１．８．ｅ１６４．ａｒｐａ」６０１に対応付けられた複数の「ＩＮ  ＮＡＰＴＲ」行６１、６２、６３の情報をＮＡＰＴＲ−ＲＲ情報として情報通信装置１００に返信する。
【０１０９】
また、情報通信装置１００から送信されたドメイン名がＥＮＵＭ用ＤＮＳ１９０に登録されていない場合は、宛先番号がＥＮＵＭ用ＤＮＳ１９０に登録されていない旨の情報を情報通信装置１００に返信する。
【０１１０】
このようなＥＮＵＭ用ＤＮＳ１９０に対する問い合わせ処理の情報通信装置１００とＥＮＵＭ用ＤＮＳ１９０との間の問い合わせ情報及び応答情報の流れの手順を図で示すと図６のようになる。
【０１１１】
図６は、情報通信装置１００とＥＮＵＭ用ＤＮＳ１９０との間の問い合わせ情報及び応答情報の流れの手順を示す図であり、図６（ａ）は、問い合わせドメイン名がＥＮＵＭ用ＤＮＳ１９０に登録されている場合の例、図６（ｂ）は、問い合わせドメイン名がＥＮＵＭ用ＤＮＳ１９０に登録されていない場合の例をそれそれ示している。
【０１１２】
図６（ａ）に示すように、情報通信装置１００がＥＮＵＭ用ＤＮＳ１９０に対してユーザが入力した宛先番号４０３に対応したＥＮＵＭ形式のドメイン名６０１の問い合わせを行うことで、ＥＮＵＭ用ＤＮＳ１９０から情報通信装置１００へＮＡＰＴＲ−ＲＲ情報６５０が返信される。
【０１１３】
また、図６（ｂ）に示すように、情報通信装置１００のドメイン名６０１の問い合わせに対してドメイン名６０１の情報がＥＮＵＭ用ＤＮＳ１９０に登録されていない場合は、「宛先は、ＥＮＵＭに登録されていない」旨の情報６５１がＥＮＵＭ用ＤＮＳ１９０から情報通信装置１００へ返信される。
【０１１４】
ＥＮＵＭ用ＤＮＳ１９０から返信されたドメイン名「８．７．６．５．４．３．２．１．３．１．８．ｅ１６４．ａｒｐａ」に対応するＮＡＰＴＲ−ＲＲ情報６５０は、インターネット１８０及びネットワーク１７０を介して情報通信装置１００のネットワークインタフェース１０９へ入力され、更にＴＣＰ／ＵＤＰ／ＩＰ制御部１０７を介してＥＮＵＭ用ＤＮＳ処理部１５０へ入力される。
【０１１５】
ＥＮＵＭ用ＤＮＳ１９０から返信されたＮＡＰＴＲ−ＲＲ情報６５０に記録された「ＩＮ−ＮＡＰＴＲ」行６１、６２、６３のそれぞれの「Ｅ２Ｕ＋ｉｆａｘ：ｍａｉｌｔｏ」６１１、「Ｅ２Ｕ＋ｍａｉｌｔｏ」６２１、「Ｅ２Ｕ＋ｔｅｌ」６３１のプロトコル情報と、「ｉｎｆｏ−ｆａｘ＠ｉｆａｘ．ｃｏｍ」６１２、「ｉｎｆｏ−ｍａｉｌ＠ｍａｉｌ．ｃｏｍ」６２２、「８１３１２３４５６７８；ｓｖｃ＝ｆａｘ」６３２のＵＲＩ情報に基づき通信相手は、インターネットファックス通信、電子メール通信、公衆網電話回線２００を介したファックス通信の複数の通信手段による通信が可能であることが認識できる。
【０１１６】
なお、「ＩＮ−ＮＡＰＴＲ」行６１はインターネットファックス通信、「ＩＮ−ＮＡＰＴＲ」行６２は電子メール通信、「ＩＮ−ＮＡＰＴＲ」行６３は公衆網電話回線２００を介したファックス通信をそれぞれ示している。
【０１１７】
なお、ＮＡＰＴＲ−ＲＲ情報６５０において、通信相手のアドレス情報は、ＵＲＩ情報に示されているように、例えばインターネットファックス通信を行う場合のアドレスは、「ｉｎｆｏ−ｆａｘ＠ｉｆａｘ．ｃｏｍ」６１２、電子メール通信を行う場合のアドレスは、「ｉｎｆｏ−ｍａｉｌ＠ｍａｉｌ．ｃｏｍ」６２２、公衆網電話回線２００を介したファックス通信を行う場合のアドレスは、「８１３１２３４５６７８」６３２である。
【０１１８】
ＥＮＵＭ用ＤＮＳ処理部１５０は、システム制御部１０１の命令指示に基づきＥＮＵＭ用ＤＮＳ１９０から返信されたＮＡＰＴＲ−ＲＲ情報６５０に基づき通信相手が通信可能な通信手段と該通信手段を使用した場合の通信相手のアドレスをＵＲＩ形式で取り出し、さらに、通信手段の優先順位が登録されている場合にはその優先順位を取り出す。
【０１１９】
システム制御部１０１は、ＥＮＵＭ用ＤＮＳ処理部１５０によって取り出された宛先番号「０３−１２３４−５６７８」４０３に対応した通信相手の通信手段、通信手段に対応したアドレス及び優先順位の情報をバス１０７を介してＲＡＭ１０６のアドレス帳に自動登録する。
【０１２０】
宛先番号「０３−１２３４−５６７８」４０３に対応した通信相手の通信手段、通信手段に対応したアドレス及び優先順位の情報が宛先情報としてＲＡＭ１０６のアドレス帳に自動登録されると、操作／表示部１０４には、ＥＮＵＭ自動登録が行われた旨をユーザに知らせる図７に示すようなＥＮＵＭ自動登録通知画面８００が表示される。
【０１２１】
図７に示すように、ＥＮＵＭ自動登録通知画面８００は、タイトル表示欄８１０と、アドレス帳に自動登録された通信相手の宛先名及び宛先番号を表示する宛先情報表示欄８０１（破線で囲まれた部分）と宛先情報表示欄８０１に表示された「宛先番号」がＥＮＵＭ用ＤＮＳ１９０に登録されているか否か及び自動登録が処理されたか否か等の情報メッセージを表示するメッセージ表示欄８０２（破線で囲まれた部分）と、宛先情報表示欄８０１に表示された「宛先番号」に対応付けられた通信手段及び通信手段の優先順位情報等を表示する優先順通信手段表示欄８０３（破線で囲まれた部分）と、優先順通信手段表示欄８０３に表示された各優先順位に対応した通信手段のアドレスの編集処理等を行う編集ボタン８０３１、８０３２、８０３３が表示されており、タイトル表示部８１０には、アドレス帳の登録番号８１１（破線で囲まれた部分）と、登録された通信相手がＥＮＵＭと連動して動作可能であることを示す「ＥＮＵＭ対応」８１２（破線で囲まれた部分）の情報が表示される。
【０１２２】
このタイトル表示欄８１０に表示された「ＥＮＵＭ対応」８１２の情報は、ＥＮＵＭと連動してＥＮＵＭから取得した情報に基づき通信相手の宛先情報がアドレス帳に登録された場合に表示される情報である。
【０１２３】
なお、優先順通信手段表示欄８０３に表示された各優先順位に対応した通信手段は、ユーザが予めシステムデータに設定登録した通信手段の優先順位、または通信相手がＥＮＵＭ登録時に設定した通信手段の優先順位付けを反映した通信手段の優先順位に対応して表示される。
【０１２４】
この通信相手がＥＮＵＭ登録時に設定した通信手段の優先順位付けを反映させて登録するか否かの判別は、情報通信装置１００のシステムデータに設定された図示せぬフラグ情報「０」：反映させない、「１」：反映させる等の情報に基づいて処理させる。
【０１２５】
なお、フラグ情報の設定は、予めユーザが図示せぬシステムデータ設定画面を用いて設定するように構成されている。
【０１２６】
図７は、前記フラグ情報が「０」：反映させない場合であり、優先順通信手段表示欄８０３には、予めシステムデータに設定されたユーザ指定の通信手段の優先順位に従って、例えば、最も優先順位の高い「優先１：Ｓｃａｎ  ｔｏ  Ｅｍａｉｌ」、２番目に優先順位の高い「優先２：ｉＦＡＸ」、３番目に優先順位の高い「優先３：ＦＡＸ」等が表示されている。
【０１２７】
この優先順通信手段表示欄８０３に表示された各通信手段や通信手段の順位及びアドレス等の情報を編集及び確認する場合は、優先順通信手段表示欄８０３に表示された各通信手段に対応した「編集」ボタン８０３１、８０３２、８０３３をタッチすることにより図８に示すような各編集画面８２０、８３０、８４０が表示され、優先順通信手段表示欄８０３に表示された各通信手段のアドレス等のＵＲＩ情報や優先順位等の編集及び確認ができる。
【０１２８】
図８に示すように、例えば図７で示したＥＮＵＭ自動登録通知画面８００の優先順通信手段表示欄８０３で「優先１：Ｓｃａｎ  ｔｏ  Ｅｍａｉｌ」の「編集」ボタン８０３１をタッチすると、図８（ａ）に示すような電子メール通信の通信手段に対応付けられたＵＲＩ情報が表示されて編集及び確認を行うことができる。
【０１２９】
また、優先順通信手段表示欄８０３の「優先２：ｉＦＡＸ」の「編集」ボタン８０３２をタッチすると、図８（ｂ）に示されるようなインターネットファックス通信の通信手段に対応付けられたＵＲＩ情報が表示され、優先３：ＦＡＸ」の「編集」ボタン８０３３をタッチすると、図８（ｃ）に示されるような公衆網電話回線を介したファックス通信の通信手段に対応付けられたＵＲＩ情報が表示されて、各ＵＲＩ情報の編集及び確認を行うことができる。
【０１３０】
次に、「更新情報通知機能」の処理動作について図９乃至図１０を参照して詳細に説明する。
【０１３１】
「更新情報通知機能」は、ＥＮＵＭ用ＤＮＳ１９０に登録した情報通信装置１００の電話番号に対応付けられたＵＲＩ情報等の削除、変更等の更新を行った場合の更新情報を情報通信装置１００のアドレス帳に登録されたＥＮＵＭ対応の通信相手に対して通知する機能である。
【０１３２】
図９は、「更新情報通知機能」の処理動作を示すフローチャートであり、図１０は、「更新情報通知機能」の操作画面を示す図である。
【０１３３】
図９に示すように、ユーザが情報通信装置１００の操作／表示部１０４に配置された図示せぬ更新情報通知機能キーを押下すると、「更新情報通知機能」の動作が開始され（ステップＳ９００）、図１０に示すようなＥＮＵＭ更新通知画面８５０が表示される（ステップＳ９０１）。
【０１３４】
ＥＮＵＭ更新通知画面８５０は、宛先情報の更新または削除等の更新内容を示す更新種別と、更新情報を通知する相手の電話番号を入力する通知相手入力欄８５１と、更新内容、例えば電話番号と電話番号に対応付けられた通信手段のサービス種別や通信手段の優先順位等の情報を表示する優先順通信手段表示欄８５２（破線で囲まれた部分）及び通知相手入力欄８５１で入力された電話番号の通信相手に更新情報を通知する「通知」ボタン８５３とで構成されている。    
図１０に示すように、ＥＮＵＭ更新通知画面８５０でユーザが、更新種別を「変更」、更新情報通知先の電話番号を「０３−１２３４−５６７８」と入力し、「通知」ボタン８５３をタッチすると（ステップＳ９０２）、更新情報通知先の電話番号「０３−１２３４−５６７８」または電話番号「０３−１２３４−５６７８」に対応付けられたＵＲＩ情報に対応したアドレス先へ更新情報が通知され（ステップＳ９０３）、「更新情報通知機能」の処理動作は終了する（ステップＳ９０４）。
【０１３５】
なお、ここでは、更新情報の通知をユーザが所望するＥＮＵＭ対応の通信相手に対して通知するような例を示したが、アドレス帳に登録されたＥＮＵＭ対応の通信相手に対して一斉通知するような構成としてもよい。
【０１３６】
この場合は、例えば図示せぬ「一斉通知」ボタンを選択することでシステム制御部１０１の命令指示に基づきアドレス帳に登録されたＥＮＵＭ対応の通信相手に対して更新情報の通知が行われる。
【０１３７】
次に、「アドレス自動更新機能」の処理動作について図１１乃至図１４を参照して詳細に説明する。
【０１３８】
本発明に係わる「アドレス自動更新機能」は、情報通信装置１００が定期的にアドレス帳に登録されたＥＮＵＭ対応の通信相手の宛先情報をＥＮＵＭ用ＤＮＳ１９０に対して問い合わせを行い、最新の宛先情報に自動更新する「定期アドレス自動更新機能」と、通信相手から通知された当該通信相手の宛先情報が変更または削除された旨の更新情報に基づき情報通信装置１００のアドレス帳に登録された当該通信相手の宛先情報を自動更新する「任意アドレス自動更新機能」とがある。
【０１３９】
これらの機能の処理動作について「定期アドレス自動更新機能」、「任意アドレス自動更新機能」の順で詳細に説明する。
【０１４０】
図１１は、「定期アドレス自動更新機能」の処理動作を示すフローチャートである。
【０１４１】
図１１に示すように、ＲＡＭ１０６に記憶された図示せぬシステムデータに設定された定期アドレス自動更新の設定時間に達すると、システム制御部１０１が定期アドレス自動更新機能を起動し開始させ（ステップＳ１１００）、アドレス帳に登録された通信相手の宛先情報を登録番号の小さい順から順次読み出し（ステップＳ１１０１）、読み出した通信相手がＥＮＵＭに対応した通信相手であるか否かを判別する（ステップＳ１１０２）。
【０１４２】
登録された通信相手がＥＮＵＭ対応の通信相手の場合は、読み出した通信相手の電話番号に基づきＥＮＵＭ用ＤＮＳ１９０に対して問い合わせ処理を行う（ステップＳ１１０３）。
【０１４３】
このＥＮＵＭ用ＤＮＳ１９０に対する問い合わせ処理は、前述の「アドレス登録機能」で説明した処理動作と同様に、電話番号をＥＮＵＭ形式のドメイン名に変換後、ドメイン名に対応付けられたＮＡＰＴＲ−ＲＲ情報をＥＮＵＭ用ＤＮＳ１９０から取得する。
【０１４４】
ＮＡＰＴＲ−ＲＲ情報には、通信手段や通信手段に対応したＵＲＩ情報及び通信手段の優先順位等の情報が記録されている。
【０１４５】
取得したＮＡＰＴＲ−ＲＲ情報に基づき、ＮＡＰＴＲ−ＲＲ情報に記録された電話番号に対応付けられたＵＲＩ情報等と、アドレス帳に登録された電話番号に対応付けられたＵＲＩ情報等とを比較し、情報が一致しない場合は、通信相手の宛先情報が変更されたものと判断し（ステップＳ１１０５でＹＥＳ）、取得したＮＡＰＴＲ−ＲＲ情報に基づき情報通信装置１００が利用可能な通信手段に適合する通信手段、通信手段の優先順位及びアドレス等の情報を自動更新する（ステップＳ１１０６、ステップＳ１１０７でＹＥＳ、ステップＳ１１０８）。
【０１４６】
アドレス帳に登録されたＥＮＵＭ対応の通信相手の宛先情報が自動更新されると、自動更新された旨を示す更新識別情報が付加される。
【０１４７】
この自動更新された旨を示す更新識別情報は、例えば図１２に示すような宛先情報表示画面８６０のタイトル部８６１に「ＥＮＵＭ＊」８６２として表示され、当該登録番号に登録された通信相手の宛先情報が自動更新された旨をユーザが認識できるように構成されている。
【０１４８】
この更新識別情報は、アドレス帳に登録されたＥＮＵＭ対応の通信相手の宛先情報が自動更新されると図示せぬ更新識別情報フラグに「１」の値を設定することで、自動更新された旨の情報を示し、ユーザが所定の操作を行って自動更新された通信相手のアドレス帳を使用した際に更新識別情報フラグの値が「０」に設定される。
【０１４９】
更新識別情報フラグの値が「０」に設定された状態で宛先情報表示画面８６０を表示させると図１２（ｂ）に示すような宛先情報表示画面８６０のタイトル部８６１に「ＥＮＵＭ」８６３と表示され、「*」が表示されない。
【０１５０】
ステップＳ１１０７において、取得したＮＡＰＴＲ−ＲＲ情報に情報通信装置１００が利用可能な通信手段に適合する通信手段等の情報が記録されていない場合は（ステップＳ１１０７でＮＯ）、「宛先は、適合するサービスがありません。」等のエラーメッセージ表示（ステップＳ１１１０）するとともに、図示せぬエラー履歴にエラー情報を記録後、アドレス帳に登録された最後の通信相手の宛先情報に対してステップＳ１１０１からの同様な処理を繰り返す。
【０１５１】
ステップＳ１１０４において、読み出した通信相手の電話番号に基づくＥＮＵＭ用ＤＮＳ１９０に対する問い合わせの結果、ＮＡＰＴＲ−ＲＲ情報が得られなかった場合は（ステップＳ１１０４でＮＯ）、読み出した通信相手の宛先情報がＥＮＵＭ用ＤＮＳ１９０から削除されたものと判断し、当該通信相手の宛先情報をアドレス帳から削除する（ステップＳ１１０９）。
【０１５２】
アドレス帳に登録されたＥＮＵＭ対応の通信相手の全てに対して自動更新処理が終了すると（ステップＳ１１１１でＹＥＳ）、「定期アドレス自動更新機能」の処理動作は終了する（ステップＳ１１１２）。
【０１５３】
なお、ここでは、アドレス帳に登録された通信相手の宛先情報を登録番号の小さい順から順次読み出し、読み出した通信相手がＥＮＵＭに対応した通信相手であるか否かを判別し、ＥＮＵＭ対応の通信相手の宛先情報を最新の宛先情報に自動更新する例を示して説明したが、読み出す順番は特に限定されるものではない。
【０１５４】
また、アドレス帳に登録されたＥＮＵＭ対応の通信相手が識別可能なように、例えばＥＮＵＭ対応の通信相手をテーブル等の管理手段で管理し、管理手段を参照しながらＥＮＵＭ対応の通信相手の宛先情報をＥＮＵＭ用ＤＮＳ１９０に問い合わせるような構成としてもよい。
【０１５５】
また、アドレス帳に登録されたＥＮＵＭ対応の通信相手が自動更新された場合は、自動更新された旨を管理者の連絡先へ自動通知する手段を更に備え、管理者が指定した連絡先へ通知するような構成としてもよい。
【０１５６】
次に「任意アドレス自動更新機能」の処理動作について詳細に説明する。
【０１５７】
図１３は、「任意アドレス自動更新機能」の処理動作を示すフローチャートである。
【０１５８】
図１３に示すように、例えば情報通信装置１００と同様な機能を有する情報通信装置１１０が前述に説明した情報通信装置１００の「更新情報通知機能」と同様な機能を用いて情報通信装置１００に対して更新情報を通知すると、情報通信装置１００は、通知された更新情報を受信し、システム制御部１０１が任意アドレス自動更新機能を起動して開始させ（ステップＳ１３００）、更新情報を通知した通信相手が、情報通信装置１００のアドレス帳に登録された通信相手であるか否かを判別する（ステップＳ１３０１）。
【０１５９】
ステップＳ１３０１において、アドレス帳に登録された通信相手でない場合は（ステップＳ１３０１でＮＯ）、任意アドレス自動更新機能の処理動作を終了させる（ステップＳ１３０９）。
【０１６０】
ステップＳ１３０１において、アドレス帳に登録された通信相手である場合は（ステップＳ１３０１でＹＥＳ）、通知された更新情報の内容が宛先情報の変更または削除のいずれであるかを識別する（ステップＳ１３０２）。
【０１６１】
更新情報の内容が宛先情報の削除の場合は（ステップＳ１３０２でＮＯ）、当該通信相手の電話番号及び電話番号に対応付けられた宛先情報等をアドレス帳から削除する（ステップＳ１３０８）。
【０１６２】
更新情報の内容が宛先情報の変更の場合は（ステップＳ１３０２でＹＥＳ）、当該通信相手から通知された更新情報の内容にアドレス帳を変更するための十分なデータが揃っているか否かを判別する（ステップＳ１３０３）。
【０１６３】
アドレス帳を変更するために十分なデータが揃ってない場合は（ステップＳ１３０３でＮＯ）、更新情報を通知した通信相手の電話番号に基づきＥＮＵＭ用ＤＮＳ１９０に対して問い合わせを行い、ＮＡＰＴＲ−ＲＲ情報をＥＮＵＭ用ＤＮＳ１９０から取得する（ステップＳ１３０４）。
【０１６４】
ＮＡＰＴＲ−ＲＲ情報をＥＮＵＭ用ＤＮＳ１９０から取得すると、アドレス帳に登録された当該通信相手の宛先情報を取得したＮＡＰＴＲ−ＲＲ情報に基づく情報通信装置１００が利用可能な通信手段に適合する通信手段、通信手段の優先順位及びアドレス等の宛先情報に自動更新し（ステップＳ１３０５でＹＥＳ、ステップＳ１３０６）、自動更新後、任意アドレス自動更新機能の処理動作を終了させる（ステップＳ１３０９）。
【０１６５】
ステップＳ１３０５において、取得したＮＡＰＴＲ−ＲＲ情報に基づく情報通信装置１００が利用可能な通信手段に適合する通信手段がない場合は（ステップＳ１３０５でＮＯ）、「通知された更新情報へ変更された宛先は、適合するサービスがありません。」等のエラーメッセージ表示（ステップＳ１３０７）するとともに、図示せぬエラー履歴にエラー情報を記録後、任意アドレス自動更新機能の処理動作を終了させる（ステップＳ１３０９）。
【０１６６】
このような任意アドレス自動更新機能の処理動作における情報通信装置１００、１１０及びＥＮＵＭ用ＤＮＳ１９０との問での更新情報、問い合わせ情報及び応答情報の流れの手順を図で示すと図１４のようになる。
【０１６７】
図１４に示すように、情報通信装置１１０が情報通信装置１００に対して更新情報を通知すると、情報通信装置１００は、情報通信装置１１０から通知された更新情報の内容に基づき、更新情報の内容が宛先情報の削除であれば当該通信相手の宛先情報を情報通信装置１００のアドレス帳から削除する。
【０１６８】
また、更新情報の内容が宛先情報の変更であれば、通知された更新情報の内容にアドレス帳を変更するための十分なデータが揃っていればアドレス帳に登録された当該通信相手の宛先情報を更新情報の内容に基づき自動更新する。
【０１６９】
通知された更新情報の内容にアドレス帳を変更するための十分なデータが揃っていなければ、更新情報を通知した通信相手の電話番号に基づきＥＮＵＭ用ＤＮＳ１９０に対して問い合わせを行い、ＥＮＵＭ用ＤＮＳ１９０から取得したＮＡＰＴＲ−ＲＲ情報に基づきアドレス帳に登録された当該通信相手の宛先情報を自動更新する。
【０１７０】
次に「アドレス確認更新機能」の処理動作について詳細に説明する。
【０１７１】
図１５は、「アドレス確認更新機能」の処理動作を示すフローチャートである。
【０１７２】
図１５に示すように、例えば情報通信装置１００がアドレス帳より宛先を指定して情報通信を行った場合において（ステップＳ１５０１）、宛先の通信相手から否定応答が返信された場合は（ステップＳ１５０２でＹＥＳ）、宛先がＥＮＵＭ対応の通信相手であるか否かを判別する（ステップＳ１５０３）。
【０１７３】
宛先がＥＮＵＭ対応の通信相手である場合は（ステップＳ１５０３でＹＥＳ）、宛先の電話番号に基づきＥＮＵＭ用ＤＮＳ１９０に対して問い合わせを行い、ＮＡＰＴＲ−ＲＲ情報をＥＮＵＭ用ＤＮＳ１９０から取得する（ステップＳ１５０４）。
【０１７４】
ＮＡＰＴＲ−ＲＲ情報をＥＮＵＭ用ＤＮＳ１９０から取得できなかった場合は（ステップＳ１５０５でＮＯ）、当該宛先の通信相手の宛先情報がＥＮＵＭ用ＤＮＳ１９０から削除されたものと判断し、「宛先は、ＥＮＵＭに登録されておりません。」等のエラーメッセージ表示（ステップＳ１５０９）するとともに、図示せぬエラー履歴にエラー情報を記録後、「アドレス確認更新機能」の処理動作を終了させる。
【０１７５】
ステップＳ１５０５において、ＮＡＰＴＲ−ＲＲ情報をＥＮＵＭ用ＤＮＳ１９０から取得すると（ステップＳ１５０５でＹＥＳ）、アドレス帳に登録された当該宛先の通信相手の宛先情報を取得したＮＡＰＴＲ−ＲＲ情報に基づく情報通信装置１００が利用可能な通信手段に適合する通信手段、通信手段の優先順位及びアドレス等の宛先情報に自動更新し（ステップＳ１５０６、ステップＳ１５０７でＹＥＳ、ステップＳ１５０８）、更新後、「アドレス確認更新機能」の処理動作を終了させる。
【０１７６】
ステップＳ１５０７において、取得したＮＡＰＴＲ−ＲＲ情報に基づく情報通信装置１００が利用可能な通信手段に適合する通信手段がない場合は（ステップＳ１５０７でＮＯ）、「宛先は、適合するサービスがありません。」等のエラーメッセージ表示（ステップＳ１５０９）するとともに、図示せぬエラー履歴にエラー情報を記録後、「アドレス確認更新機能」の処理動作は終了する。
【０１７７】
このような「アドレス確認更新機能」の処理動作における情報通信装置１００と、宛先の通信相手及びＥＮＵＭ用ＤＮＳ１９０との問での問い合わせ情報及び応答情報等の流れの手順を図で示すと図１６のようになる。
【０１７８】
図１６に示すように、情報通信装置１００がアドレス帳により宛先を指定して、例えば情報をＳＭＴＰにより送信し、宛先の通信相手１１１から否定応答が返信されると、情報通信装置１００は、宛先の通信相手１１１がＥＮＵＭ対応の通信相手であるか否かを判別する。
【０１７９】
宛先の通信相手１１１がＥＮＵＭ対応の通信相手である場合は、宛先の電話番号に基づきＥＮＵＭ用ＤＮＳ１９０に対して問い合わせを行い、ＥＮＵＭ用ＤＮＳ１９０から取得したＮＡＰＴＲ−ＲＲ情報に基づきアドレス帳に登録された当該宛先の通信相手の宛先情報を自動更新する。
【産業上の利用可能性】
【０１８０】
この発明は、電子メール、インターネットファックス、ファックスなど複数の通信手段を有する情報通信装置において利用可能である。
【０１８１】
この発明によれば、アドレス帳に登録されたＥＮＵＭ対応の通信相手の宛先情報をＥＮＵＭと連動して最新の状態に自動更新するのでアドレス帳の整理作業の負荷を軽減するとともに、接続不可等となるような不要な通信を防止することができる。
【図面の簡単な説明】
【０１８２】
【図１】本発明に係わる情報通信装置１００の接続状態の一例を示した概略図
【図２】本発明に係わる情報通信装置１００の構成例を示すブロック図
【図３】アドレス登録機能の概略の処理動作を示すフローチャート
【図４】アドレス帳の登録番号に対応した登録メニュー画面４００の一例を示す図
【図５】ＥＮＵＭ用ＤＮＳ１９０に登録されたＮＡＰＴＲ−ＲＲ情報６００の一例を示す図
【図６】情報通信装置１００とＥＮＵＭ用ＤＮＳ１９０との間の各情報の流れの手順を示す図
【図７】ＥＮＵＭ自動登録通知画面８００の一例を示す図
【図８】編集画面８２０、８３０、８４０の一例を示す図
【図９】更新情報通知機能の処理動作を示す図
【図１０】更新情報通知機能の操作画面を示す図
【図１１】定期アドレス自動更新機能の概略の処理動作を示すフローチャート
【図１２】宛先情報表示画面８６０の一例を示す図
【図１３】任意アドレス自動更新機能の処理動作を示すフローチャート
【図１４】任意アドレス自動更新機能における各装置間の情報の流れの手順を示す図
【図１５】アドレス確認更新機能の処理動作を示すフローチャート
【図１６】アドレス確認更新機能における各装置間の情報の流れの手順を示す図
【符号の説明】
【０１８３】
１０    電話
３０、４０  コンピュータ
５０    インターネットＦＡＸ装置
６０    ＥＮＵＭシステム
１００、１１０  情報通信装置      
１０１    システム制御部
１０２    スキャナ部
１０３    プリンタ部
１０４    操作／表示部
１０５    画像蓄積部
１０６    ＲＡＭ
１０７    バス
１０８    ＴＣＰ／ＵＤＰ／ＩＰ制御部
１０９    ネットワークインタフェース
１１０    画像処理部
１１１    ファイル変換部
１２０    ＦＡＸ部
１２１、１４１  通信画像処理部
１２２    Ｔ３０制御部
１２３    モデム
１２４    ＮＣＵ
１３０    トランスポートプロトコル制御部
１４０    電子メール部
１４３    メールプロトコル制御部
１５０    ＥＮＵＭ用ＤＮＳ処理部
１７０    ネットワーク
１８０    インターネット
１９０    ＥＮＵＭ用ＤＮＳ
２００    公衆網電話回線（ＰＳＴＮ）
４００    登録メニュー画面
５００    ＥＮＵＭアドレス自動登録機能を動作させる操作画面
６００    ＥＮＵＭ用ＤＮＳ１９０に登録されたＮＡＰＴＲ−ＲＲ情報
８００    ＥＮＵＭ自動登録通知画面
８２０、８３０、８４０  登録した通信相手の各通信手段の編集画面
８５０    ＥＮＵＭ更新通知画面
８６０    宛先情報表示画面
【図１】
2006020049.tif 000003
【図２】
2006020049.tif 000004
【図３】
2006020049.tif 000005
【図４】
2006020049.tif 000006
【図５】
2006020049.tif 000007
【図６】
2006020049.tif 000008
【図７】
2006020049.tif 000009
【図８】
2006020049.tif 000010
【図９】
2006020049.tif 000011
【図１０】
2006020049.tif 000012
【図１１】
2006020049.tif 000013
【図１２】
2006020049.tif 000014
【図１３】
2006020049.tif 000015
【図１４】
2006020049.tif 000016
【図１５】
2006020049.tif 000017
【図１６】
2006020049.tif 000018